(57)【要約】【課題】１人の作業人で多数本の支柱を立設して支柱間を横繋ぎできるようにした支柱支持装置を提供する。【解決手段】３本の脚体１と、各脚体１の上端に取り付けられ支柱２の上下方向中間部を外側から掴む上部支持プレート３と、各脚体１の上下方向中間部に取り付けられ前記上部支持プレート３の真下で上部支持プレート３とほぼ平行に位置するように支柱２の下端近傍部を外側から掴む下部支持プレート６とを備え、前記３枚の上部支持プレート３および３枚の下部支持プレート６はそれぞれ並んだ状態において中央に位置する支持プレート３，６とその両側に位置する支持プレート３，６が回転自在に結合されており、３枚の上部支持プレート３および３枚の下部支持プレート６を環状とした状態において３本の脚体１は３脚状に開かれ、両側に位置する上部支持プレート３の隣接部および両側に位置する下部支持プレート６の隣接部を連結ピン１０で止めるようにした。【選択図】図５
2009180003.tif 000002
【特許請求の範囲】
【請求項１】
３本の脚体と、各脚体の上端に取り付けられ支柱の上下方向中間部を外側から掴む上部支持プレートと、各脚体の上下方向中間部に取り付けられ前記上部支持プレートの真下で上部支持プレートとほぼ平行に位置するように支柱の下端近傍部を外側から掴む下部支持プレートと、上部支持プレートとその真下に位置する下部支持プレートを繋ぐ連結棒とを備え、前記３枚の上部支持プレートおよび３枚の下部支持プレートはそれぞれ並んだ状態において中央に位置する支持プレートとその両側に位置する支持プレートが回転自在に結合されており、３枚の上部支持プレートおよび３枚の下部支持プレートを環状とした状態において３本の脚体は３脚状に開かれた状態となり、両側に位置する上部支持プレートの隣接部および両側に位置する下部支持プレートの隣接部を連結ピンで止めるようにしたことを特徴とする支柱支持装置。
【請求項２】
各上部支持プレートおよび各下部支持プレートにアダプターをセットし、３枚の上部支持プレートおよび３枚の下部支持プレートで作られる空間を縮めるようにしたことを特徴とする請求項１に記載の支柱支持装置。
【発明の詳細な説明】
【技術分野】
【０００１】
本発明は、支保工などにおいて立設される支柱を支持するための支柱支持装置に関するものである。
【背景技術】
【０００２】
従来からこの種工事のために支柱を立設するために通常少なくとも３人が必要で、その内２人がそれぞれ支柱を起立状態で保持し、残りの１人で支柱間を横繋ぎ棒で繋ぎ、その作業を繰り返し行なっているのが現状である。
【発明の開示】
【発明が解決しようとする課題】
【０００３】
上記従来のように支保工などにおいて支柱を立設する場合、通常少なくとも３人が必要で、その内２人がそれぞれ支柱を起立状態で保持し、残りの１人で支柱間を横繋ぎ棒で繋ぎ、その作業を繰り返し行なっているのが現状であり、作業する人を３人以上用意しなければならないという問題があった。
【０００４】
本発明の目的は、このような課題を解決するものであり、１人の作業人で多数本の支柱を立設して支柱間を横繋ぎできるようにした支柱支持装置を提供することにある。
【課題を解決するための手段】
【０００５】
本発明の請求項１に記載の支柱支持装置は、３本の脚体と、各脚体の上端に取り付けられ支柱の上下方向中間部を外側から掴む上部支持プレートと、各脚体の上下方向中間部に取り付けられ前記上部支持プレートの真下で上部支持プレートとほぼ平行に位置するように支柱の下端近傍部を外側から掴む下部支持プレートと、上部支持プレートとその真下に位置する下部支持プレートを繋ぐ連結棒とを備え、前記３枚の上部支持プレートおよび３枚の下部支持プレートはそれぞれ並んだ状態において中央に位置する支持プレートとその両側に位置する支持プレートが回転自在に結合されており、３枚の上部支持プレートおよび３枚の下部支持プレートを環状とした状態において３本の脚体は３脚状に開かれた状態となり、両側に位置する上部支持プレートの隣接部および両側に位置する下部支持プレートの隣接部を連結ピンで止めるようにしたことを特徴とする。
【０００６】
請求項２に記載の支柱支持装置は、各上部支持プレートおよび各下部支持プレートにアダプターをセットし、３枚の上部支持プレートおよび３枚の下部支持プレートで作られる空間を縮めるようにしたことを特徴とする。
【発明の効果】
【０００７】
以上のように、本発明の支柱支持装置は、支柱支持装置による支柱の立設作業および立設された支柱間の横繋ぎ作業を１人の作業人で行なえるようになり、作業効率の向上を図ることができる。また、支柱支持装置は折り畳み状態において上から見て３枚の上部支持プレートおよび３枚の下部支持プレートが並んだ状態となり、また３本の脚体も並んだ状態となるので、持ち運びが容易に行なえる。
【発明を実施するための最良の形態】
【０００８】
以下、本発明の実施の形態を、図面を用いて具体的に説明する。
先ず、図１〜図１０に示す第１の実施の形態について説明すると、１は支柱支持装置の要部である３本の脚体で、各脚体１の上端には支柱２の上下方向中間部を外側から掴む上部支持プレート３が溶接などで取り付けられている。支柱支持装置が折り畳まれて上から見て３枚の上部支持プレート３が並んだ状態において中央に位置する上部支持プレート３とその両側に位置する上部支持プレート３がボルト４、ナット５により回転自在に結合されており、また各脚体１の上下方向中間部には前記上部支持プレート３の真下で上部支持プレート３とほぼ平行に位置するように支柱２の下端近傍部を外側から掴む下部支持プレート６が溶接などで取り付けられている。そして、この下部支持プレート６についても支柱支持装置が折り畳まれて上から見て３枚の下部支持プレート６が並んだ状態において中央に位置する下部支持プレート６とその両側に位置する下部支持プレート６がボルト７、ナット８により回転自在に結合されている。９は上部支持プレート３とその下側に位置する下部支持プレート６を繋ぐ連結棒で、この連結棒９の上端は上部支持プレート３に、下端は下部支持プレート６に溶接などで取り付けられており、この連結棒９は上部支持プレート３と下部支持プレート６との間の間隔を保持するとともに下部支持プレート６を支えるために設けられている。
【０００９】
前記上部支持プレート３および下部支持プレート６は前記ボルト４、ナット５およびボルト７、ナット８による結合部の位置で折り畳まれて上から見て横に並んだ状態と、３枚の上部支持プレート３および３枚の下部支持プレート６を前記ボルト４、ナット５およびボルト７、ナット８による結合部の位置で回転させて環状となった状態とに変位可能となっており、３枚の上部支持プレート３および３枚の下部支持プレート６を環状とした状態において前記３本の脚体１は３脚状に開かれた状態となり、支柱支持装置は起立可能となる。なお、３枚の上部支持プレート３および３枚の下部支持プレート６を環状としただけでは前記中央に位置する上部支持プレート３の両側に位置する上部支持プレート３，３間は簡単に開いてしまうので、両側に位置する上部支持プレート３，３の隣接部を連結ピン１０で止めるようにする。この連結ピン１０は互いに隣接する一方の上部支持プレート３に形成された孔３ａに予めセットしておき、この連結ピン１０の先端を他方の上部支持プレート３に形成された孔３ａに差し込むようになっており、これにより３枚の上部支持プレート３は環状となった状態を保持される。３枚の下部支持プレート６も同様に両側に位置する下部支持プレート６，６の隣接部を連結ピン１０で止めるようにする。この連結ピン１０は互いに隣接する一方の下部支持プレート６に形成された孔６ａに予めセットしておき、この連結ピン１０の先端を他方の下部支持プレート６に形成された孔６ａに差し込むようになっており、これにより３枚の下部支持プレート６は環状となった状態を保持される。前記互いに隣接する一方の上部支持プレート３および一方の下部支持プレート６に形成された孔３ａおよび６ａに予めセットされる連結ピン１０の基部には連結ピン１０を押し下げるばね１１が嵌合されてあり、連結ピン１０の先端を他方の上部支持プレート３および他方の下部支持プレート６に形成された孔３ａおよび６ａに差し込むと連結ピン１０はばね１１の力で浮き上がりが防止されるようになっている。
【００１０】
上記のように支柱支持装置は３脚状に開かれた状態に組み立てられ自立するものであるが、３枚の上部支持プレート３および３枚の下部支持プレート６を環状となるように組み立てる途中で支柱２を３枚の上部支持プレート３および３枚の下部支持プレート６に位置合わせし、支柱２が３枚の上部支持プレート３および３枚の下部支持プレート６で作られる空間内に収まるように３枚の上部支持プレート３および３枚の下部支持プレート６を環状となるように閉じていく。このとき３枚の上部支持プレート３および３枚の下部支持プレート６で作られる空間の外周に支柱２の外面が接触するように予め寸法が合うように作られている。そして、最終的に前記連結ピン１０で上部支持プレート３および下部支持プレート６が環状となった状態を保持する。
【００１１】
以上のような要領で上から見て横方向および縦方向に適当間隔おきに多数本の支柱２をそれぞれ支柱支持装置により支持し、上から見て横方向および縦方向に並ぶ支柱２同士を横繋ぎ棒で繋ぐことにより支保工などにおける前作業が完了する。
【００１２】
ところで、前記支柱支持装置は折り畳み状態において上から見て３枚の上部支持プレート３および３枚の下部支持プレート６が並んだ状態となり、また３本の脚体１も並んだ状態となるので、持ち運びが容易に行なえる。
【００１３】
以上、第１の実施の形態について述べたが、前記支柱２よりも外径が小さい支柱を支持する場合は、図１１および図１３に示すように上部支持プレート３および下部支持プレート６にセットされるアダプター１２を用いて、３枚の上部支持プレート３および３枚の下部支持プレート６で作られる空間を縮めて支柱１３の径に合わせるようにすることも可能である。
【図面の簡単な説明】
【００１４】
【図１】本発明の第１の実施の形態における支柱支持装置の折り畳み状態を示す斜視図である。
【図２】同支柱支持装置の折り畳み状態を示す平面図である。
【図３】同支柱支持装置を組み立てる途中の状態を示す斜視図である。
【図４】同支柱支持装置を組み立てる途中の状態を示す平面図である。
【図５】同支柱支持装置を組み立てて支柱を支持した状態を示す斜視図である。
【図６】同支柱支持装置を組み立てて支柱を支持した状態を示す平面図である。
【図７】同上部支持プレートに対し連結ピンをセットした状態を示す要部拡大側面図である。
【図８】同上部支持プレートに対し連結ピンをセットした状態を示す要部拡大平面図である。
【図９】同下部支持プレートに対し連結ピンをセットした状態を示す要部拡大側面図である。
【図１０】同下部支持プレートに対し連結ピンをセットした状態を示す要部拡大平面図である。
【図１１】本発明の第２の実施の形態における支柱支持装置に使用されるアダプターの斜視図である。
【図１２】同上部支持プレートに対しアダプターをセットする状態を示す斜視図である。
【図１３】同上部支持プレートおよび下部支持プレートに対しアダプターをセットした状態を示す支柱支持装置の斜視図である。
【符号の説明】
【００１５】
１      脚体
２      支柱
３      上部支持プレート
３ａ    孔
４      ボルト
５      ナット
６      下部支持プレート
６ａ    孔
７      ボルト
８      ナット
９      連結棒
１０      連結ピン
１１      ばね
１２      アダプター
【図１】
2009180003.tif 000003
【図２】
2009180003.tif 000004
【図３】
2009180003.tif 000005
【図４】
2009180003.tif 000006
【図５】
2009180003.tif 000007
【図６】
2009180003.tif 000008
【図７】
2009180003.tif 000009
【図８】
2009180003.tif 000010
【図９】
2009180003.tif 000011
【図１０】
2009180003.tif 000012
【図１１】
2009180003.tif 000013
【図１２】
2009180003.tif 000014
【図１３】
2009180003.tif 000015